(57)【要約】【課題】デザイン性に優れたナットを備えたリールシート及び釣竿を提供する。【解決手段】雄ネジ部１０を有する筒状のリールシート本体２と、該リールシート本体２の径方向外側に装着されてリールシート本体２の中心線方向に沿って移動可能な移動フード３と、リールシート本体２の雄ネジ部１０に螺合して移動フード３を移動させるナット４とを備え、ナット４は、内側筒体２２と該内側筒体２２の径方向外側に位置する外側筒体２１とを備え、外側筒体２１には窓孔４０が形成され、該窓孔４０を介して内側筒体２２が部分的に視認可能である。【選択図】図１
2019033699.tif 000002
【特許請求の範囲】
【請求項１】
釣竿にリールを固定するための筒状のリールシートであって、
雄ネジ部を有する筒状のリールシート本体と、該リールシート本体に装着されてリールシート本体の中心線方向に沿って移動可能な移動フードと、リールシート本体の雄ネジ部に螺合して移動フードを移動させるナットとを備え、
ナットは、内側筒体と該内側筒体の径方向外側に位置する外側筒体とを備え、
外側筒体には窓孔が形成され、該窓孔を介して内側筒体が部分的に視認可能であることを特徴とするリールシート。
【請求項２】
外側筒体の内周面と内側筒体の外周面との間に空隙部が設けられ、該空隙部に面した外側筒体の部分に窓孔の少なくとも一部が位置している請求項１記載のリールシート。
【請求項３】
空隙部は環状に形成されており、該環状の空隙部に面した外側筒体の環状の部分に周方向に間隔をあけて複数の窓孔が形成されている請求項２記載のリールシート。
【請求項４】
環状の空隙部は、外側筒体の内周面と内側筒体の外周面との間の離間距離が前記中心線方向に沿って変化している距離変化部を有しており、該距離変化部に対応した外側筒体の部分に窓孔が形成されている請求項３記載のリールシート。
【請求項５】
外側筒体は、外周面と内周面が何れも移動フード側に向かって拡径するテーパ部を備え、該テーパ部の径方向内側における内側筒体の外周面は径一定であって、外側筒体のテーパ部とその径方向内側に位置する内側筒体の部分との間に、外側筒体の内周面と内側筒体の外周面との間の離間距離が移動フード側に向かって徐々に大きくなった環状の距離変化部が形成されている請求項４記載のリールシート。
【請求項６】
空隙部は、窓孔の前記中心線方向の端部を前記中心線方向に越えて形成されている請求項２乃至５の何れかに記載のリールシート。
【請求項７】
内側筒体の外周面には、外側筒体の窓孔を介して視認可能な位置に、凹部又は貫通孔が形成されている請求項１乃至６の何れかに記載のリールシート。
【請求項８】
一つの凹部又は貫通孔は、窓孔から露出している部分と、外側筒体の内側に隠れている部分とに区分される請求項７記載のリールシート。
【請求項９】
凹部又は貫通孔の移動フード側の端部は外側筒体の内側に隠れていて、凹部又は貫通孔の移動フードとは反対側の端部は窓孔から露出している請求項８記載のリールシート。
【請求項１０】
請求項１乃至９の何れかに記載のリールシートを備えた釣竿。
【発明の詳細な説明】
【技術分野】
【０００１】
本発明は、釣竿にリールを固定するための筒状のリールシートとそれを備えた釣竿に関する。
【背景技術】
【０００２】
従来、リールを釣竿に取り付けるために、釣竿の竿本体の外周面に装着される筒状のリールシートが知られている。該リールシートは、筒状のリールシート本体と、該リールシート本体の外側に装着されて中心線方向に移動可能な移動フードと、該移動フードを移動させるためのナットとを備えている。ナットは、リールシート本体の雄ネジ部に螺合している。釣り人は、ナットを回転させることにより、移動フードをリールシート本体の中心線方向即ち前後方向に移動させて、リールの脚部をリールシートに固定したり、あるいは、リールシートからリールの脚部を取り外したりする。
【０００３】
このように、釣り人は、釣竿にリールを取り付けたり取り外したりする際に、その都度、ナットを回転させるという操作を行うことになる。そのため、ナットのデザインは操作性と共にリールシートにおいて重要な要素となっており、趣味性の高い釣竿においてナットは重要な部品である。そのためナットには各種のデザインが施されることがあり、その外周面に各種の凹凸形状を施すことも行われている。しかしながら、更にデザイン性に優れたナットやリールシートが求められている。
【先行技術文献】
【特許文献】
【０００４】
【特許文献１】特開２０１１−１０５９２号公報
【発明の概要】
【発明が解決しようとする課題】
【０００５】
それゆえに本発明は、デザイン性に優れたナットを備えたリールシート及び釣竿を提供することを課題とする。
【課題を解決するための手段】
【０００６】
本発明は上記課題を解決すべくなされたものであって、本発明に係るリールシートは、釣竿にリールを固定するための筒状のリールシートであって、雄ネジ部を有する筒状のリールシート本体と、該リールシート本体に装着されてリールシート本体の中心線方向に沿って移動可能な移動フードと、リールシート本体の雄ネジ部に螺合して移動フードを移動させるナットとを備え、ナットは、内側筒体と該内側筒体の径方向外側に位置する外側筒体とを備え、外側筒体には窓孔が形成され、該窓孔の内側に内側筒体が位置していて窓孔を介して内側筒体が部分的に視認可能であることを特徴とする。尚、リールシート本体の中心線方向を単に中心線方向と称し、また、前後方向とも称する。
【０００７】
該構成のリールシートにあっては、ナットが内側筒体と外側筒体という二重構造の筒体を備えている。外側筒体の窓孔から内側筒体を部分的に視認することができ、奥行き感のあるデザインが得られる。
【０００８】
特に、外側筒体の内周面と内側筒体の外周面との間に空隙部が設けられ、該空隙部に面した外側筒体の部分に窓孔の少なくとも一部が位置していることが好ましい。窓孔の径方向内側に空隙部が存在していて内側筒体が外側筒体から径方向内側に離間していると、内側筒体の外周面が外側筒体の内周面に密着している場合に比して、窓孔から見たときに内側筒体の外周面が外側筒体から内側に離れて見えることになり、陰影も生じることなって、奥行き感が向上する。
【０００９】
更に、空隙部は環状に形成されており、該環状の空隙部に面した外側筒体の環状の部分に周方向に間隔をあけて複数の窓孔が形成されていることが好ましい。このように空隙部が全周に亘って形成されていてその環状の空隙部に面した外側筒体の環状の部分に複数の窓孔が周方向に間隔をあけて形成されていると、外側筒体の環状の部分は、複数の窓孔と、周方向に隣り合う窓孔同士の間の残部とから構成されることになり、窓孔と残部とが周方向に交互に位置することになる。そして、空隙部が周方向に連続して形成されていて残部の径方向内側にも空隙部が存在しているので、残部の径方向内側に隠れている内側筒体の部分を、窓部から周方向に沿って斜め方向に覗き見ることができる。従って、奥行き感がより一層向上し、立体感も向上する。尚、窓孔の周方向の長さは、残部の周方向の長さよりも長いことが好ましい。
【００１０】
更に、環状の空隙部は、外側筒体の内周面と内側筒体の外周面との間の離間距離が前記中心線方向に沿って変化している距離変化部を有しており、該距離変化部に対応した外側筒体の部分に窓孔が形成されていることが好ましい。尚、距離変化部も環状であることが好ましい。このように窓孔の内側において、外側筒体の内周面と内側筒体の外周面との間の離間距離が中心線方向に沿って変化していると、窓孔を介して見える奥行き感が中心線方向に変化することになり、奥行き感と立体感がより一層向上する。
【００１１】
更に、外側筒体は、外周面と内周面が何れも移動フード側に向かって拡径するテーパ部を備え、該テーパ部の径方向内側における内側筒体の外周面は径一定であって、外側筒体のテーパ部とその径方向内側に位置する内側筒体の部分との間に、外側筒体の内周面と内側筒体の外周面との間の離間距離が移動フード側に向かって徐々に大きくなった環状の距離変化部が形成されていることが好ましい。ナットを回転操作して移動フードを移動させる際に、釣り人の視線はナットから移動フード側へ向かうことが多い。そのため環状の距離変化部において外側筒体の内周面と内側筒体の外周面との間の離間距離が移動フード側に向かって徐々に大きくなっていると、その離間距離の変化を視覚的に認識しやすく、奥行き感が向上する。そして、内側筒体の外周面を径一定としつつ外側筒体にテーパ部を設けることによって環状の距離変化部を容易に形成することができると共に、外観上目に付きやすい外側筒体にテーパ部を設けてそのテーパ部に窓部を形成することによって、より一層立体感のあるデザインが得られる。
【００１２】
一方、空隙部は、窓孔の前記中心線方向の端部を前記中心線方向に越えて形成されていることが好ましい。外側筒体によって隠れている内側筒体の外周面の部分を、窓孔から中心線方向に沿って斜め方向に覗き見ることができるので、奥行き感がより一層向上する。
【００１３】
また一方、内側筒体の外周面には、外側筒体の窓孔を介して視認可能な位置に、凹部又は貫通孔が形成されていることが好ましく、窓孔を介して内側筒体の凹部や貫通孔を見ることができるので、奥行き感と立体感がより一層向上する。尚、内側筒体に貫通孔が形成されている場合には、竿本体にリールシートを装着した状態において、外側筒体の窓孔と内側筒体の貫通孔を介して竿本体の外周面が部分的に見えることになる。
【００１４】
特に、一つの凹部又は貫通孔は、窓孔から露出している部分と、外側筒体の内側に隠れている部分とに区分されることが好ましい。一つの凹部又は貫通孔のうち窓孔から露出している部分は、窓孔の径方向内側に位置する部分である。また、一つの凹部又は貫通孔のうち外側筒体の内側に隠れている部分は、外側筒体のうち窓孔が形成されていない部分の径方向内側に位置する部分である。例えば、内側筒体に貫通孔が形成されている場合、その貫通孔が部分的に外側筒体の径方向内側に隠れていることが好ましく、そのように貫通孔の全領域のうちの一部が外側筒体の内側に隠れていることによって、貫通孔の全領域が窓孔から露出している構成に比して奥行き感が得られることになる。
【００１５】
更に、凹部又は貫通孔の移動フード側の端部は外側筒体の内側に隠れていて、凹部又は貫通孔の移動フードとは反対側の端部は窓孔から露出していることが好ましい。凹部や貫通孔の移動フードとは反対側の端部が窓孔から露出している一方で、凹部や貫通孔のフード側の端部が外側筒体の径方向内側に隠れているという対比によって、奥行き感が向上することになる。
【００１６】
また、本発明に係る釣竿は、上記リールシートを備えたものである。尚、竿本体がリールシートの内側を挿通しており、移動フードとは反対側の内側筒体の端部において、竿本体の外周面と内側筒体の内周面との間には、内側筒体の肉厚以上の環状の空間が形成されていることが好ましい。このように竿本体と内側筒体との間に大きな空間が形成されていると、移動フードとは反対側からナットを斜め方向に見たとき、内側筒体の内側の空間を介して竿本体の外周面が見えることになり、奥行き感が得られる。尚、内側筒体に貫通孔が形成された構成においては、外側筒体の窓孔と内側筒体の貫通孔とを介して、外側筒体の外側から竿本体の外周面を部分的に視認できる。
【発明の効果】
【００１７】
以上のように、外側筒体の窓孔から内側筒体が部分的に見えることで、ナットに奥行き感が生じて、従来にはない斬新なデザインのナットが得られる。
【図面の簡単な説明】
【００１８】
【図１】本発明の一実施形態におけるスピニングリール用のリールシートを示す斜視図。
【図２】同リールシートの正面図。
【図３】図２のＡ−Ａ端面図。
【図４】（ａ）は同リールシートの外側筒体を示す斜視図、（ｂ）は同リールシートの内側筒体を示す斜視図。
【図５】（ａ）は同リールシートの外側筒体と内側筒体が分離した状態を示す正面図、（ｂ）は同リールシートの外側筒体と内側筒体が重ね合わせられた状態を示す正面図。
【図６】同リールシートの要部断面図。
【図７】同リールシートの外側筒体と内側筒体の重なり状態を示す要部端面図。
【図８】同リールシートが装着された釣竿の要部断面図。
【図９】図８の要部拡大図。
【図１０】本発明の他の実施形態における両軸リール用のリールシートを示す斜視図。
【図１１】同リールシートの正面図。
【図１２】同リールシートの断面図。
【図１３】図１１のＢ−Ｂ端面図。
【図１４】（ａ）は同リールシートの外側筒体を示す斜視図、（ｂ）は同リールシートの内側筒体を示す斜視図。
【図１５】（ａ）は同リールシートの外側筒体と内側筒体が分離した状態を示す正面図、（ｂ）は同リールシートの外側筒体と内側筒体が重ね合わせられた状態を示す正面図。
【図１６】同リールシートの要部断面図。
【図１７】同リールシートの外側筒体と内側筒体の重なり状態を示す要部端面図。
【図１８】同リールシートが装着された釣竿の要部断面図。
【図１９】図１８の要部拡大図。
【発明を実施するための形態】
【００１９】
以下、本発明の一実施形態に係る釣竿用のリールシートとそれを備えた釣竿について図１〜図９を参酌しつつ説明する。リールシート１は、釣竿にリールを固定するためのものであって、釣竿の竿本体１００ａ，１００ｂに装着されて使用される。リールシート１は、いわゆるパイプシートと称されるものであって、全体として筒状のものであり、竿本体１００ａ，１００ｂの径方向外側に被せられるように装着されて、竿本体１００ａ，１００ｂの所定位置に接着により固定される。リールシート１としては、スピニングリールを取り付けるためのものと、両軸リールを取り付けるためのものとがある。
【００２０】
まず、スピニングリールを取り付けるためのリールシート１について説明する。スピニングリールは使用状態において釣竿の下側に位置する。そのため、図面ではリールが下側を向く状態を基準の状態としてリールシート１を示している。尚、以下の説明において、径方向外側を単に外側と称し、径方向内側を単に内側と称する。また、中心線方向を前後方向とする。
【００２１】
リールシート１は、竿本体１００ａ，１００ｂの外側に接着固定される筒状のリールシート本体２と、該リールシート本体２の外側に回転不能に且つ中心線方向に直線的に移動可能に被せられた筒状の移動フード３と、該移動フード３を中心線方向に移動させるための筒状のナット４とを備えている。尚、説明の都合上、リールシート１においてナット４が位置する側を後側とし、それとは反対側を前側とするが、その前後の向きは任意である。尚、リールシート本体２の前部の外側には、発泡ＥＶＡやコルク等のグリップ素材からなる筒状のグリップ５が装着される。
【００２２】
リールシート本体２は、その一端側の外周面に雄ネジ部１０を備えている。即ち、リールシート本体２の後端側の外周面に雄ネジ部１０が形成されている。雄ネジ部１０は、リールシート本体２の後端から前側に所定長さ領域に亘って形成されている。雄ネジ部１０にはガイド溝１４が前後方向に延びて形成されている。ガイド溝１４はリールシート本体２の後端から前側に延びていて雄ネジ部１０の全長に亘って直線状に形成されている。該ガイド溝１４によって雄ネジ部２２のネジ山が分断されている。ガイド溝１４は上下左右に９０度間隔で合計四本形成されたり、上下に１８０度対向して合計二本形成されたり、左右に１８０度対向して合計二本形成されたりする。
【００２３】
リールシート本体２は、その外周面のうち下面に、リール脚が取り付けられるリール脚取付部１１を備えている。リールシート本体２は、リール脚取付部１１の前側に、リール脚の前端部を保持するための固定フード部１２を備えている。該固定フード部１２はリールシート本体２に一体的に形成されていて、その開口部は後側を向いている。従って、固定フード部１２にはリール脚の前端部が後側から挿入される。尚、リールシート本体２は、その外周面の前端側に、発泡ＥＶＡやコルク等のグリップ素材からなる筒状のグリップ５が装着されるグリップ装着部１３を備えている。リールシート本体２は、例えば合成樹脂製であって射出成形によって一体的に形成される。
【００２４】
リールシート本体２の雄ネジ部１０にナット４が螺合している。ナット４の前側に移動フード３が位置している。移動フード３は筒状であってリールシート本体２の外周面の外側に被せられている。移動フード３はガイド溝１４に係合していてリールシート本体２に対して前後方向に移動可能であるが回転不能である。移動フード３の全周のうちの一部に部分的に径方向外側に膨出したフード部３ａが形成されており、そのフード部３ａにリール脚の後端部が前側から挿入される。
【００２５】
移動フード３の後端部とナット４の前端部が相対回転可能に連結されている。移動フード３の後端部の内周面には環状の係合溝３ｂが形成され、ナット４の前端部の外周面には環状の係合凸条３０が形成されており、ナット４の係合凸条３０が移動フード３の係合溝３ｂに係合している。ナット４が回転しながら前後に移動すると、それに合わせて移動フード３は前後に移動するものの回転はしない。ナット４を前側に移動させることで移動フード３を固定フード部１２に接近させることができ、移動フード３と固定フード部１２でリール脚を前後に狭持して固定することができる。逆に、ナット４を後側に移動させると、移動フード３は固定フード部１２から離れるように後側に移動して、リール脚の固定状態が解除される。
【００２６】
ナット４は、複数の筒状の部材から構成されており、その複数の筒状の部材は、リールシート本体２の中心線を回転中心軸として一体となって回転する。但し、複数の筒状の部材同士が相対回転してもよい。本実施形態において、ナット４は、内周面に雌ネジ部３１を有する筒状のナット本体２０と、該ナット本体２０の後側に並んで位置する外側筒体２１と、該外側筒体２１の内側に位置する内側筒体２２と、ナット本体２０の外側に位置する第一のカバー筒体２３及び第二のカバー筒体２４とを備えている。ナット本体２０と外側筒体２１と内側筒体２２と第一及び第二のカバー筒体２３，２４は、一体となって回転する。尚、内側筒体２２がナット本体２０や外側筒体２１に対して相対回転する構成であってもよい。
【００２７】
ナット本体２０がリールシート本体２の後部の外側に装着されていて、ナット本体２０の雌ネジ部３１がリールシート本体２の雄ネジ部１０に螺合している。ナット本体２０の前端部の外周面に上述の係合凸条３０が形成されている。また、ナット本体２０の外周面であって係合凸条３０から後側に離間した位置には環状の凸条３２が形成されていて、該環状の凸条３２の外周面は他の部材に覆われずに外部に露出している。環状の凸条３２は、移動フード３の後側に位置している。移動フード３の後端面が環状の凸条３２の前側の側面に対向していて、ナット本体２０が回転するとき、移動フード３の後端面に環状の凸条３２の前側の側面が摺動する。ナット本体２０は合成樹脂から形成されることが好ましい。
【００２８】
第一のカバー筒体２３はナット本体２０の外周面に接着等によって固定されている。第一のカバー筒体２３は第二のカバー筒体２４よりも前後方向の寸法が小さい。第一のカバー筒体２３は環状の凸条３２の後側に位置し、第一のカバー筒体２３の前端面が環状の凸条３２の後側の側面に当接している。第二のカバー筒体２４はナット本体２０の外周面に接着等によって固定されている。第二のカバー筒体２４は第一のカバー筒体２３の後側に並んで位置していて、互いの肉厚は略同じである。第二のカバー筒体２４は、薄肉状であって、肉厚は略一定である。第二のカバー筒体２４は第一のカバー筒体２３よりも前後方向の寸法が大きく、その後部はナット本体２０の後端面よりも後側に所定長さ突出している。
【００２９】
ナット本体２０よりも後側に突出した第二のカバー筒体２４の突出部分の内周面に外側筒体２１が接着等により固定されている。外側筒体２１の前端面はナット本体２０の後端面から僅かに後側に離れて位置している。第二のカバー筒体２４は、前後に並んだナット本体２０と外側筒体２１とを前後に連結している。即ち、第二のカバー筒体２４は、ナット本体２０の後部の外周面と外側筒体２１の前部の外周面の外側を覆っていて、ナット本体２０の後部の外周面と外側筒体２１の前部の外周面にそれぞれ接着固定されている。
【００３０】
外側筒体２１と内側筒体２２は互いに径方向に重なり合っていて、外側筒体２１と内側筒体２２は、ナット４の最後部に位置する。従って、外側筒体２１と内側筒体２２は、リールシート１の最後部に位置している。リールシート本体１に対してナット４が最も前側に位置している状態において、外側筒体２１と内側筒体２２は、リールシート本体２の後端部よりも後側に位置している。外側筒体２１と内側筒体２２は、ナット本体２０よりも後側の位置で互いに径方向に重なり合っている。外側筒体２１を単体の状態で図４（ａ）に示しており、内側筒体２２を単体の状態で図４（ｂ）に示している。また、外側筒体２１と内側筒体２２を内外重ね合わせる前の状態を図５（ａ）に示し、重ね合わせた状態を図５（ｂ）に示している。図５（ａ）のように内側筒体２２は後側から外側筒体２１の内側に挿入される。外側筒体２１と内側筒体２２の材質は任意であるが、金属製とすると高い質感が得られる。但し、外側筒体２１と内側筒体２２を何れも合成樹脂製としたり、外側筒体２１と内側筒体２２の一方を金属製とし、他方を合成樹脂製としたりしてもよい。
【００３１】
外側筒体２１には、径方向に貫通した窓孔４０が複数形成されている。窓孔４０は、第二のカバー筒体２４に覆われていない外側筒体２１の部分に形成されており、即ち、窓孔４０は、第二のカバー筒体２４から後側に突出して外部に露出している外側筒体２１の部分に形成されている。従って、窓孔４０は外部から見える位置にあり、手で触れることができる位置にある。窓孔４０は外側筒体２１の前後方向の全長のうち後半部分に形成されていて、外側筒体２１の後端部に近い位置に形成されている。
【００３２】
本実施形態において、窓孔４０は合計四個形成されていて、それらの窓孔４０は周方向に並んでいる。従って、周方向に隣り合った窓孔４０同士の間の部分は、窓孔４０が形成されずに残った残部４１となっている。窓孔４０は周方向に一定間隔毎に形成されており、残部４１も９０度毎に合計四箇所形成されている。外側筒体２１は、その後部に、外周面４２ａと内周面４２ｂが共に前側に向かって拡径する環状のテーパ部４２を備えており、そのテーパ部４２に複数の窓孔４０が形成されている。従って、残部４１は、前側の方が大径で後側の方が小径となるように傾斜している。
【００３３】
四つの窓孔４０は全て同一形状である。窓孔４０は、前後方向の長さに対して周方向の長さの方が長い形状であり、具体的には、周方向に長い矩形であり、より詳細には、前端部４０ａを長い下底とし後端部４０ｂを短い上底とする台形となっている。残部４１は、逆に、前端部の長さが短く後端部の長さが長くなっていて、前側に向けて徐々に幅が狭くなった形状であって、詳細には、前端部を短い上底とし、後端部を長い下底とする台形となっている。窓孔４０の周方向の長さは残部４１の周方向の長さよりも長い。
【００３４】
但し、窓孔４０の形状や残部４１の形状は任意であって、例えば窓孔４０は、周方向を長辺とする長方形状であってもよいし、周方向に長い長円形状や楕円状、トラック形状であってよい。また、窓孔４０が正方形状や円形状であってもよい。更に、複数の窓孔４０が同一形状でなくてもよく、全ての窓孔４０がそれぞれ異なる形状であってもよいし、二種類や三種類等、複数種類の形状の組み合わせであってもよい。残部４１の形状についても任意である。更に、窓孔４０の数も任意であるが、複数であることが好ましく、特に三個以上であることが好ましく、周方向に並んで配置されていることが好ましい。
【００３５】
外側筒体２１は、窓孔４０と残部４１とが周方向に交互に並んだ環状の部分によって前後二つの領域に区分けされる。本実施形態では、窓孔４０と残部４１とが周方向に交互に並んだ環状の部分がテーパ部４２となっている。従って、外側筒体２１は、テーパ部４２と、該テーパ部４２よりも後側の部分であるリング部４３と、テーパ部４２よりも前側の部分である本体部４４とから構成されている。リング部４３の前後方向の寸法は、テーパ部４２の前後方向の寸法よりも小さく、本体部４４の前後方向の寸法よりも小さい。リング部４３は、残部４１によって本体部４４と前後方向に連結されている。
【００３６】
本体部４４の後側の外周面４４ａは、リング部４３の外周面４３ａよりも大径である。本体部４４の前側の外周面４４ｂは、本体部４４の後側の外周面４４ａに対して段差部４４ｃを介して小径となっている。本体部４４の前側の外周面４４ｂは、取り付け用の外周面であって第二のカバー筒体２４の内周面に重ね合わせられて接着固定されている。本体部４４の外周面の段差部４４ｃが第二のカバー筒体２４の後端面に当接している。本体部４４の外周面の段差部４４ｃが第二のカバー筒体２４の後端面に当接することにより、ナット本体２０に対する外側筒体２１の前後方向の位置が定まる。
【００３７】
本体部４４の内周面の大部分を占める主内周面４４ｄは内側筒体２２の外周面２２ａと重ね合わせられて接着固定される接合面である。本体部４４の内周面の前端部即ち外側筒体２１の内周面の前端部には内側に向かって環状の鍔部４４ｅが突設されており、該環状の鍔部４４ｅの後側の側面に内側筒体２２の前端面が当接している。環状の鍔部４４ｅの後側の側面に内側筒体２２の前端面が当接することにより、外側筒体２１に対する内側筒体２２の前後方向の位置が定まる。本体部４４の後端部の内周面４４ｆは、主内周面４４ｄに対して段差部４４ｇを介して一段大径となっており、本体部４４の内周面のうち最も大径となっている部分である。リング部４３の内周面４３ｂは、本体部４４の主内周面４４ｄと略同一径であって、主内周面４４ｄと同様に、内側筒体２２の外周面２２ａと重ね合わせられて接着固定される接合面となっている。
【００３８】
内側筒体２２は、外周面２２ａと内周面２２ｂ共に径略一定となった形状であって、その外周面２２ａが外側筒体２１のリング部４３の内周面４３ｂと本体部４４の主内周面４４ｄの内側に重なり合って接着固定されている。上述のように内側筒体２２の前端面は外側筒体２１の鍔部４４ｅに当接している。内側筒体２２の後端面は外側筒体２１の後端面よりも後側に突出している。内側筒体２２の内周面２２ｂは、リールシート本体２の後部の内周面２ａよりも大径である。内側筒体２２の内周面２２ｂは、外側筒体２１の鍔部４４ｅの内周面と略同一径である。
【００３９】
外側筒体２１の内周面の一部は内側筒体２２の外周面２２ａに対して外側に離間していて、外側筒体２１の内周面と内側筒体２２の外周面２２ａとの間には環状の空隙部５０が形成されている。内側筒体２２の内周面２２ｂが径略一定であるのに対して、外側筒体２１の内周面はテーパ部４２において前側に向けて徐々に拡径している。従って、テーパ部４２の内側において空隙部５０は前側に向かって徐々に径方向に拡がっていく。このテーパ部４２の内側における空隙部５０の部分が距離変化部となっており、テーパ部４２の内周面４２ｂと内側筒体２２の外周面２２ａとの間の離間距離は前側に向かって徐々に大きくなっていく。また、外側筒体２１の内周面のうち本体部４４の後端部の内周面４４ｆが最も大径であって、その本体部４４の後端部の内周面４４ｆが内側筒体２２の外周面２２ａに対して最も外側に大きく離間している。従って、本体部４４の後端部において空隙部５０の径方向の寸法は最大となる。このように環状の空隙部５０は、テーパ部４２を前側に越えて本体部４４の後端部の内側まで達しており、テーパ部４２に形成された窓孔４０の前端部４０ａよりも前側に越えた位置まで形成されている。そして、窓孔４０よりも前側の位置に、空隙部５０の径方向の大きさが最大となった部分が存在している。
【００４０】
内側筒体２２には径方向に貫通した貫通孔５１が形成されている。該貫通孔５１の形状や配置、個数については種々であってよいが、本実施形態では、前後方向に対して所定角度傾斜した方向に沿って長い長円形状である。貫通孔５１は、周方向に一定間隔毎に複数形成されていて、全周に亘って並んでいて、合計１０個形成されている。複数の貫通孔５１は全て同一形状であるが、異なっていてもよい。
【００４１】
貫通孔５１の少なくとも一部は、外側筒体２１の窓孔４０を介して外側筒体２１の径方向外側から視認可能な位置に位置している。図５（ｂ）のように、貫通孔５１の後部は窓孔４０から露出していて、貫通孔５１の前部は窓孔４０に対して前側の位置に隠れている。また、貫通孔５１の後端部５１ｂは窓孔４０の後端部４０ｂよりも前側に位置していて露出状態にあるが、貫通孔５１の前端部５１ａは窓孔４０の前端部４０ａよりも前側に位置していて外側筒体２１の内側に隠れた状態にある。窓孔４０の開口縁部の前端部４０ａは周方向に直線状に延びているが、その窓孔４０の開口縁部の前端部４０ａによって貫通孔５１は、視覚上、前後二つの領域に区分され、窓孔４０から露出している部分と窓孔４０から露出せずに外側筒体２１の内側に隠れている部分とに区分される。窓孔４０の前端部４０ａは、窓孔４０の前後両端部４０ａ，４０ｂのうち移動フード３に近い側の端部であり、窓孔４０の後端部４０ｂは、移動フード３から遠い側の端部である。また、複数の貫通孔５１のうちのいくつかは、その一部が残部４１の内側に位置して隠れた状態にある。何れにしても、一つの貫通孔５１の全体が窓孔４０から露出しているのではなく、一つの貫通孔５１の一部のみが窓孔４０から露出していて貫通孔５１の残りの部分は外側筒体２１の内側に隠れている。
【００４２】
尚、第二のカバー筒体２４によって覆われている部分において、外側筒体２１と内側筒体２２に連続する図示しない横孔を形成を形成して、その横孔に図示しない連結棒を差し込むことで外側筒体２１と内側筒体２２の周方向の相対的な位置関係が常に一定となるようにしてもよい。
【００４３】
以上のようなリールシート１を使用した釣竿の要部断面図を図８に示している。リールシート１は、ナット４が後側に位置する態様で竿本体１００ａ，１００ｂに装着される。竿本体１００ａ，１００ｂは、前側の竿体１００ａと後側の竿体１００ｂとを備えている。後側の竿体１００ｂの前部の内側に前側の竿体１００ａの後部が挿入され、前側の竿体１００ａと後側の竿体１００ｂは所定長さに亘って重ね合わせられて互いに連結、固定されている。前側の竿体１００ａと後側の竿体１００ｂの重ね合わせ部１００ｃを外側から覆うようにしてリールシート本体２が竿本体１００ａ，１００ｂに装着されている。グリップ５は、リールシート本体２の前部のグリップ装着部１３の外側を覆っていると共に前側の竿体１００ａも所定長さに亘って覆っている。
【００４４】
図９のように、内側筒体２２の後端部は開口していてその内側を後側の竿体１００ｂが挿通している。内側筒体２２の内周面２２ｂは後側の竿体１００ｂの外周面から外側に離間していて、内側筒体２２の内周面２２ｂと後側の竿体１００ｂの外周面との間には環状の空間が形成されている。その空間は、内側筒体２２の肉厚よりも大きい。
【００４５】
以上のように構成されたリールシート１とそれを備えた釣竿にあっては、外側筒体２１の複数の窓孔４０から内側筒体２２の外周面２２ａを部分的に視認することができる。特に、内側筒体２２の貫通孔５１を外側筒体２１の窓孔４０を介して部分的に視認することができる。更には、外側筒体２１の窓孔４０と内側筒体２２の貫通孔５１とを介して後側の竿体１００ｂ（竿本体）の外周面を部分的に視認することができる。従って、奥行き感と立体感のあるデザインが得られる。しかも、一つの貫通孔５１の一部は窓孔４０から露出しており、その貫通孔５１の残りの部分は窓孔４０から露出せずに外側筒体２１の内側に隠れているので、貫通孔５１の露出している部分と隠れている部分との対比によって奥行き感を感じさせることができる。また、外側筒体２１の窓孔４０の形状と内側筒体２２の形状が異なっているので、立体感が向上する。
【００４６】
特に、窓孔４０同士の間の残部４１によって貫通孔５１が部分的に見えなくなっているので、奥行きをより一層感じさせることができる。また、貫通孔５１の一方の端部である後端部５１ｂは窓孔４０から露出していて視認できるのに対して、貫通孔５１の他方の端部である前端部５１ａは窓孔４０から露出せずに外側筒体２１の内側に隠れているので、窓孔４０を介して貫通孔５１を見たときに奥行き感を強く感じることになる。尚、外側筒体２１の外周面と内側筒体２２の外周面２２ａとで、色や表面粗さ、材質等を異なるようにしてもよい。
【００４７】
一方、外側筒体２１の内周面と内側筒体２２の外周面２２ａとの間に環状の空隙部５０が形成されていて、その環状の空隙部５０に面した外側筒体２１の環状の部分に複数の窓孔４０が形成されているので、窓孔４０の開口縁部の全周に亘って外側筒体２１の内周面と内側筒体２２の外周面２２ａとが密着している場合に比して、窓孔４０を介して内側筒体２２の外周面２２ａや貫通孔５１が奥行き感のある状態で見えることになる。しかも、環状の空隙部５０は、テーパ部４２によって、移動フード３側である前側に向けて徐々に径方向に広がっていくので、立体感が向上することになる。更に、空隙部５０は環状であって、残部４１の内側にも空隙部５０が連続して形成されているので、残部４１の内側に隠れている内側筒体２２の外周面２２ａや貫通孔５１を、窓孔４０から周方向に沿って斜め方向に覗き込むようにして見ることができる。また、窓孔４０の前端部４０ａよりも前側に空隙部５０が連続して形成されているので、外側筒体２１の本体部４４の後端部の内側に隠れている内側筒体２２の外周面２２ａや貫通孔５１を、窓孔４０から前側に向けて斜め方向に覗き込むようにして見ることができる。このように窓孔４０の開口縁部の奥側まで空隙部５０が続いているので、奥行き感と立体感がより一層向上する。
【００４８】
また、本実施形態では、外側筒体２１の後端部であるリング部４３が内側筒体２２の内周面２２ｂと接合しているので、ナット４を後端の開口部側から見たときに、外側筒体２１と内側筒体２２とが一つの筒体であるかのように見える。そのため、窓孔４０を介して見える内側筒体２２の外周面２２ａが強調されることになる。
【００４９】
次に、両軸リールを取り付けるためのリールシート１について図１０〜図１９を参酌しつつ説明する。但し、上述のスピニングリール用のリールシート１と同様の構成についてはその詳細な説明を省略する。両軸リール用のリールシート１では、ナット４が前側に位置している。従って、上述のスピニングリール用のリールシート１とはナット４の位置と向きが前後逆になっている。そのため、上述のスピニングリール用のリールシート１において前側として説明していたものが後側となる。また、両軸リールは使用状態において釣竿の上側に位置する。そのため、図面ではリールが上側を向く状態を基準の状態としてリールシート１を示している。
【００５０】
リールシート本体２は、その上面にリール脚取付部１１を備えている。リール脚取付部１１の後側に固定フード部１２が形成されている。リールシート本体２の下面には指を引っ掛けるためのトリガ１５が下方に向けて突設されている。該トリガ１５は、固定フード部１２の略下方に位置している。リール脚取付部１１の中央部には貫通孔１６が形成されており、リールシート本体２の下面であってトリガ１５の前側の位置にも貫通孔１７が形成されている。図１２のようにリールシート本体２の前後方向の中央部の内側には、薄肉の装飾パイプ６が備えられており、上下の貫通孔１６，１７から装飾パイプ６が部分的に露出している。
【００５１】
リールシート本体２の前部に雄ネジ部１０が形成され、該雄ネジ部１０にナット４が螺合していて、ナット４の後側に移動フード３が位置している。ナット４は、ナット本体２０と外側筒体２１と内側筒体２２とから構成されている。本実施形態においてナット本体２０と外側筒体２１と内側筒体２２は一体となって回転するが相対回転してもよく、例えばナット本体２０や外側筒体２１に対して内側筒体２２が相対回転する構成であってもよい。ナット本体２０はスピニングリール用のものと同様である。外側筒体２１はナット本体２０に直接固定されている。外側筒体２１はナット本体２０の外周面に接着等によって固定されている。外側筒体２１は、ナット本体２０の環状の凸条３２の前側に位置していて、外側筒体２１の後端面が環状の凸条３２の前側の側面に当接している。外側筒体２１の後端面が環状の凸条３２の前側の側面に当接することにより、ナット本体２０に対する外側筒体２１の前後方向の位置が定まる。
【００５２】
外側筒体２１と内側筒体２２は、ナット４の最前部に位置する。従って、外側筒体２１と内側筒体２２は、リールシート１の最前部に位置している。リールシート本体２に対してナット４が最も後側に位置した状態において、内側筒体２２は、リールシート本体２の前端部よりも前側に位置している。外側筒体２１と内側筒体２２は、ナット本体２０よりも前側の位置で互いに径方向に重なり合っている。外側筒体２１を単体の状態で図１４（ａ）に示しており、内側筒体２２を単体の状態で図１４（ｂ）に示している。また、外側筒体２１と内側筒体２２を内外重ね合わせる前の状態を図１５（ａ）に示し、重ね合わせた状態を図１５（ｂ）に示している。図１５（ａ）のように内側筒体２２は後側から外側筒体２１の内側に挿入される。
【００５３】
外側筒体２１には、スピニングリール用のリールシート１と同様に窓孔４０が四箇所形成されている。窓孔４０は外側筒体２１の前後方向の全長のうち前半部分に形成されていて、外側筒体２１の前端部に近い位置に形成されている。外側筒体２１は、その前部に、外周面４２ａと内周面４２ｂが共に後側に向かって拡径する環状のテーパ部４２を備えており、そのテーパ部４２に複数の窓孔４０が形成されている。従って、残部４１は、後側の方が大径で前側の方が小径となるように傾斜している。窓孔４０や残部４１の形状等はスピニングリール用のものと同様である。窓孔４０の前端部４０ａは、窓孔４０の前後両端部４０ａ，４０ｂのうち移動フード３から遠い側の端部であり、窓孔４０の後端部４０ｂは、移動フード３に近い側の端部である。
【００５４】
外側筒体２１は、テーパ部４２と、該テーパ部４２よりも前側の部分であるリング部４３と、テーパ部４２よりも後側の部分である本体部４４とから構成されている。リング部４３の前後方向の寸法は、テーパ部４２の前後方向の寸法よりも小さく、本体部４４の前後方向の寸法よりも小さい。リング部４３は、テーパ部４２の残部４１によって本体部４４と前後方向に連結されている。
【００５５】
本体部４４の前側の外周面４４ｂは、リング部４３の外周面よりも大径である。本体部４４の外周面は、前端部において最も大径であり、その前端部から後側に向けて緩やかに縮径していき、後側の外周面４４ａは径略一定である。本体部４４の内周面の大部分を占める主内周面４４ｄは、ナット本体２０及び内側筒体２２に対する接合面であって、主内周面４４ｄの後部がナット本体２０の外周面に接着固定され、主内周面４４ｄの前部が内側筒体２２の外周面と重ね合わせられて接着固定される。尚、内側筒体２２の後端面はナット本体２０の前端面に対して前側に離間している。
【００５６】
本体部４４の主内周面４４ｄの前側には環状の鍔部４４ｅが内側に向けて突設されている。環状の鍔部４４ｅの内周面は内側筒体２２の外周面に対して外側に離間している。本体部４４の前端部の内周面４４ｈは、主内周面４４ｄよりも大径であって、本体部４４の内周面において最大径となっている部分であり、外側筒体２１の内周面において最大径となっている部分である。リング部４３の内周面４３ｂは、本体部４４の主内周面４４ｄよりも小径であるが、内側筒体２２の外周面から外側に離間している。
【００５７】
内側筒体２２は、前側の小径部６０と後側の大径部６１とを備えている。小径部６０は外周面６０ａと内周面６０ｂ共に径略一定となった形状であって、大径部６１も外周面６１ａと内周面６１ｂ共に径略一定となった形状である。内側筒体２２の小径部６０の外周面６０ａは外側筒体２１の内周面に対して内側に離間しており、リング部４３の内周面４３ｂに対しても内側に離間している。小径部６０の外周面６０ａと大径部６１の外周面６１ａとの間には、小径部６０の外周面６０ａ及び大径部６１の外周面６１ａに対して略垂直な段差部６２が形成されている。該段差部６２が外側筒体２１の環状の鍔部４４ｅの後側の側面に当接している。内側筒体２２の段差部６２が外側筒体２１の鍔部４４ｅに当接することにより、外側筒体２１に対する内側筒体２２の前後方向の位置が定まる。内側筒体２２の大径部６１の外周面６１ａは、本体部４４の主内周面４４ｄの内側に重なり合って接着固定されている。内側筒体２２の前端面は外側筒体２１の前端面よりも前側に突出している。内側筒体２２の小径部６０の内周面６０ｂは、リールシート本体２の前部の内周面２ａと略同一径である。
【００５８】
外側筒体２１の内周面と内側筒体２２の小径部６０の外周面６０ａとの間に環状の空隙部５０が形成されている。環状の空隙部５０は、外側筒体２１のリング部４３から環状の鍔部４４ｅまで形成されている。空隙部５０は、外側筒体２１のリング部４３の内側において所定の径方向の寸法を有しており、テーパ部４２の内側においては後側に向かって徐々に径方向に拡がっていく。このテーパ部４２の内側における空隙部５０の部分が距離変化部となっており、テーパ部４２のの内周面４２ｂと内側筒体２２の小径部６０の外周面６０ａとの間の離間距離は後側に向かって徐々に大きくなっていく。そして、本体部４４の前端部において空隙部５０の径方向の寸法は最大となる。このように環状の空隙部５０は、テーパ部４２を後側に越えて本体部４４の前端部の内側まで達しており、テーパ部４２に形成された窓孔４０の後端部４０ｂよりも後側に越えた位置まで形成されている。そして、窓孔４０よりも後側の位置に、空隙部５０の径方向の大きさが最大となった部分が存在している。
【００５９】
内側筒体２２の小径部６０に貫通孔５１が形成されている。貫通孔５１の形状や配置は上述したスピニングリール用のリールシート１と同様であるが、貫通孔５１の個数は合計九個となっている。貫通孔５１と窓孔４０との関係についてもスピニングリール用のリールシート１の場合と同様である。
【００６０】
以上のようなリールシート１を使用した釣竿の要部断面図を図１８に示している。リールシート１は、ナット４が前側に位置する態様で竿本体１００ａ，１００ｂに装着される。竿本体１００ａ，１００ｂの構成は図８の構成と同様である。リールシート１の後側にグリップ５が位置する。グリップ５は、後側の竿体１００ｂの外周面に接着固定される。図１９のように、内側筒体２２の前端部は開口していてその内側を前側の竿体１００ａが挿通している。内側筒体２２の小径部６０の内周面６０ｂは前側の竿体１００ａの外周面から外側に離間していて、内側筒体２２の小径部６０の内周面６０ｂと前側の竿体１００ａの外周面との間には環状の空間が形成されている。内側筒体２２の前端部における環状の空間の大きさは、リング部４３の内側における環状の空隙部５０の大きさよりも大きい。
【００６１】
以上のように構成された両軸リール用のリールシート１においても上述したようなスピニングリール用のリールシート１の場合と同様に奥行き感のあるデザインが得られる。尚、両軸リール用のリールシート１は、スピニングリール用のリールシート１とは異なり、リング部４３の内周面４３ｂが内側筒体２２の小径部６０の外周面６０ａから外側に離間している。即ち、環状の空隙部５０が前側に開口している。そのため、ナット４を前側から見たときに、外側筒体２１と内側筒体２２とによる二重構造が一目でわかる。
【００６２】
尚、上記実施形態では、内側筒体２２に貫通孔５１を形成したが、内側筒体２２の外周面に貫通孔５１に代えて各種形状の凹部を形成してもよい。また、内側筒体２２の外周面に貫通孔５１と凹部を組み合わせて配置してもよい。内側筒体２２の外周面に凹部や貫通孔５１が形成されていない態様であってもよい。但し、内側筒体２２の外周面には各種の模様が形成されていることが好ましく、窓孔４０を介して内側筒体２２の外周面の模様を視認できることが好ましい。また、外側筒体２１の内周面と内側筒体２２の内周面との間に空隙部５０が形成されず、外側筒体２１の内周面と内側筒体２２の内周面とが密着する構成であってもよい。
【符号の説明】
【００６３】
１    リールシート
２    リールシート本体
２ａ  内周面
３    移動フード
３ａ  フード部
３ｂ  係合溝
４    ナット
５    グリップ
６    装飾パイプ
１０    雄ネジ部
１１    リール脚取付部
１２    固定フード部
１３    グリップ装着部
１４    ガイド溝
１５    トリガ
１６    貫通孔
１７    貫通孔
２０    ナット本体
２１    外側筒体
２２    内側筒体
２２ａ  外周面
２２ｂ  内周面
２３    第一のカバー筒体
２４    第二のカバー筒体
３０    係合凸条
３１    雌ネジ部
３２    環状の凸条
４０    窓孔
４０ａ  前端部
４０ｂ  後端部
４１    残部
４２    テーパ部
４２ａ  外周面
４２ｂ  内周面
４３    リング部
４３ａ  外周面
４３ｂ  内周面
４４    本体部
４４ａ  後側の外周面
４４ｂ  前側の外周面
４４ｃ  段差部
４４ｄ  主内周面
４４ｅ  環状の鍔部
４４ｆ  後端部の内周面
４４ｇ  段差部
４４ｈ  前端部の内周面
５０    空隙部
５１    貫通孔
５１ａ  前端部
５１ｂ  後端部
６０    小径部
６０ａ  外周面
６０ｂ  内周面
６１    大径部
６１ａ  外周面
６１ｂ  内周面
６２    段差部
１００ａ  前側の竿体（竿本体）
１００ｂ  後側の竿体（竿本体）
１００ｃ  重ね合わせ部
【図１】
2019033699.tif 000003
【図２】
2019033699.tif 000004
【図３】
2019033699.tif 000005
【図４】
2019033699.tif 000006
【図５】
2019033699.tif 000007
【図６】
2019033699.tif 000008
【図７】
2019033699.tif 000009
【図８】
2019033699.tif 000010
【図９】
2019033699.tif 000011
【図１０】
2019033699.tif 000012
【図１１】
2019033699.tif 000013
【図１２】
2019033699.tif 000014
【図１３】
2019033699.tif 000015
【図１４】
2019033699.tif 000016
【図１５】
2019033699.tif 000017
【図１６】
2019033699.tif 000018
【図１７】
2019033699.tif 000019
【図１８】
2019033699.tif 000020
【図１９】
2019033699.tif 000021